(57)【要約】【課題】送風式害虫防除装置を用いて植物を効率良く、十分な防除効果を得られるように防除できる植物の害虫防除方法とする。【解決手段】装置本体１０に送風機１１、薬剤担持体１２を設け、害虫防除成分を含有した空気を吐出口１３から放出する送風式害虫防除装置１と、空気受部材２を、植物３の害虫防除部分３ａの両側に対峙させ、その吐出口１３から放出された前述の空気が害虫防除部分３ａに吹きつけられた後に空気受部材２の凹部２ａにはね返りして滞留するようにすることで、前述の害虫防除部分３ａの周囲を前記空気で囲むようにして害虫を防除する方法。【選択図】図１
2008079527.tif 000002
【特許請求の範囲】
【請求項１】
装置本体１０に送風機１１と薬剤担持体１２を設け、その送風機１１を駆動することで薬剤担持体１２が担持した害虫防除成分を含有した空気を吐出口１３から気中に放出する送風式害虫防除装置１を用いて、植物を害虫防除する方法であって、
前記送風式害虫防除装置１と空気受部材２を植物３の害虫防除部分３ａの両側に対峙させ、その状態で送風式害虫防除装置１から害虫防除成分を含有した空気を前記害虫防除部分３ａに吹きつけ、その空気を空気受部材２の凹部２ａ内で滞留させ、更に前記空気を吹きつけることで害虫防除部分３ａの周辺を前記空気で囲むことで害虫を防除することを特徴とする植物の害虫防除方法。
【請求項２】
装置本体１０に送風機１１と薬剤担持体１２を設け、その送風機１１を駆動することで薬剤担持体１２が担持した害虫防除成分を含有した空気を吐出口１３から気中に放出する送風式害虫防除装置１を用いて、植物を害虫防除する方法であって、
前記送風式害虫防除装置１に設けたノズル１８と空気受部材２で植物３の害虫防除部分３ａの周囲を囲み、その状態で送風式害虫防除装置１から放出された害虫防除成分を含有した空気を、ノズル１８で円弧状の流れとして前記害虫防除部分３ａに吹きつけ、その空気を空気受部材２の凹部２ａに沿って流れて前記ノズル１８に環流することで、前記植物３の害虫防除部分３ａの周囲に、前記空気を旋回流として滞留させることで害虫を防除することを特徴とする植物の害虫防除方法。
【請求項３】
装置本体１０に送風機１１と薬剤担持体１２を設け、その送風機１１を駆動することで薬剤担持体１２が担持した害虫防除成分を含有した空気を吐出口１３から気中に放出する送風式害虫防除装置１を用いて、植物を害虫防除する方法であって、
前記装置本体１０にノズル１８を設け、このノズル１８内に害虫防除成分を含有した空気が旋回流となって滞留するようにし、
そのノズル１８の流出口１８ｅを植物３の害虫防除部分３ａに接近させることで、前記空気が害虫防除部分３ａに触れるようにして害虫を防除することを特徴とする植物の害虫防除方法。
【請求項４】
装置本体１０に送風機１１と薬剤担持体１２を設け、その送風機１１を駆動することで薬剤担持体１２が担持した害虫防除成分を含有した空気を吐出口１３から気中に放出する送風式害虫防除装置１を用いて、植物を害虫防除する方法であって、
植物３の害虫防除部分３ａの全周を袋状物３０で囲み密閉された空間部を形成し、
この空間部に、前記送風式害虫防除装置１から害虫防除成分を含有した空気を吹き込むことで害虫を防除することを特徴とする植物の害虫防除方法。
【請求項５】
装置本体１０に送風機１１と薬剤担持体１２を設け、その送風機１１を駆動することで薬剤担持体１２が担持した害虫防除成分を含有した空気を吐出口１３から気中に放出する送風式害虫防除装置１を用いて、植物を害虫防除する方法であって、
植物３の害虫防除部分３ａのほぼ全周を囲み空間部を形成し、
この空間部に、前記送風式害虫防除装置１から害虫防除成分を含有した空気を吹き込むことで害虫を防除することを特徴とする植物の害虫防除方法。
【発明の詳細な説明】
【技術分野】
【０００１】
本発明は、農作物、花木、果樹などの植物を、植物を食害する害虫、植物に寄生している害虫などの害虫から防除する植物の害虫防除方法に関する。
【背景技術】
【０００２】
農作物などの植物の害虫防除方法としては、特許文献１に開示されたように、動力噴霧機の噴口から害虫防除剤を植物に噴霧するのが一般的である。
また、特許文献２には缶などの容器内に噴射剤と共に内容物（薬剤、溶剤など）を充填し、噴射剤の圧力によって噴出（噴霧）するエアゾール容器が開示されている。
また、特許文献３には、容器内に、害虫防除成分を担持した薬剤担持体と送風機を設け、その送風機を駆動することで空気を薬剤担持体に接触させて害虫防除成分を含有した空気を気中に放散する送風式害虫防除装置が開示されている。
【０００３】
【特許文献１】実開昭５８−７３３６７号公報
【特許文献２】特開平８−１９６９５４号公報
【特許文献３】特開平１１−１６９０５１号公報
【発明の開示】
【発明が解決しようとする課題】
【０００４】
特許文献１に記載されたように動力噴霧機で害虫防除剤を植物に噴霧する方法は、植物全体に害虫防除剤を噴霧するので、その植物の周囲に害虫防除剤が飛散するから、人体など周囲環境への影響を考慮して十分注意深く作業しなければならない。
また、大掛かりな動力噴霧機を用いるので、取り扱いがむずかしいと共に、コストが高く、一般の人が家の庭などで行う害虫防除方法としては好ましくない。
【０００５】
前述のことから特許文献２に開示されたエアゾール容器を用い、植物に付着している害虫に向けて内容物を噴出して害虫防除することが考えられる。
このエアゾール容器は、何処でも使用できる簡便なものであるから、そのエアゾール容器を用いた害虫防除方法は、一般の人が家の庭などで行う害虫防除方法として好ましい一面を備えている。
しかし、エアゾール容器は内容物を微粒子として高速で噴出するので、植物に付着している害虫の近くから噴出すると、その内容物によって害虫が吹き飛ばされてしまうから、植物に付着している害虫から離れた位置から内容物を害虫に向けて噴出して害虫が内容物で吹き飛ばされないようにしているので、噴出した内容物の一部分のみが害虫に吹きつけられ、残りの大部分は周囲に飛散するから、害虫防除の効率が悪い。
しかも、前述のように微粒子として噴出した内容物の大部分は周囲に飛散するから、人体など周囲環境へ影響を考慮して十分注意深く作業しなければならない。
【０００６】
前述した特許文献３に開示された送風式害虫防除装置は、気中に放散される空気に含有されている害虫防除成分の粒子は、前述したエアゾール容器の噴出された内容物の粒子よりも微細である。つまり、害虫防除成分は微細粒子として気中に放散される。
このために、送風式害虫防除装置によって気中に放散された害虫防除成分は気中（大気中）に浮遊し希釈されるので、人体など周囲環境への影響が少ない。
したがって、この送風式害虫防除装置を用いて植物の害虫防除を行えば、人体など周囲環境への影響を考慮せずに作業できるので、好ましい。
【０００７】
しかし、前述の送風式害虫防除装置は気中に放散した害虫防除成分が微細粒子であることから、害虫に付着し難いと共に、前述のように気中に浮遊し希釈されることで損失が大きく、しかも気中に放散される害虫防除成分の量が微量（特に、送風機を電池を電源として駆動した場合には、その有効使用時間の関係から気中に放散される害虫防除成分の量がより微量となってしまう）であるから、この送風式害虫防除装置を植物に付着している害虫に吹きつけて防除する害虫防除方法に用いると、害虫防除効率が悪く、十分な害虫防除効果が得られない。
【０００８】
本発明は、前述のことに鑑みなされたものであって、その目的は、送風式害虫防除装置を用いて害虫防除効率が良く、十分な害虫防除効果が得られるようにした植物の害虫防除方法を提供することである。
【課題を解決するための手段】
【０００９】
第１の発明は、装置本体１０に送風機１１と薬剤担持体１２を設け、その送風機１１を駆動することで薬剤担持体１２が担持した害虫防除成分を含有した空気を吐出口１３から気中に放出する送風式害虫防除装置１を用いて、植物を害虫防除する方法であって、
前記送風式害虫防除装置１と空気受部材２を植物３の害虫防除部分３ａの両側に対峙させ、その状態で送風式害虫防除装置１から害虫防除成分を含有した空気を前記害虫防除部分３ａに吹きつけ、その空気を空気受部材２の凹部２ａ内で滞留させ、更に前記空気を吹きつけることで害虫防除部分３ａの周辺を前記空気で囲むことで害虫を防除することを特徴とする植物の害虫防除方法である。
【００１０】
この植物の害虫防除方法に用いる害虫防除装置としては、送風式害虫防除装置１の装置本体１０に握持部１７を設け、その装置本体１０に空気受部材２を、空気吹きつけ方向に移動可能で、かつ向きを変更できるように取付けたものが好ましい。
【００１１】
この害虫防除装置を用いれば、１人の作業者が片手で握持部１７を持つことで作業できると共に、装置本体１０と空気受部材２の間隔を調整できると共に、その空気受部材２の向きを変更できるから、大きさの異なる植物の害虫防除ができる。
【００１２】
また、前述の害虫防除装置の送風式害虫防除装置１の装置本体１０に、吐出口１３と連通してノズル１８を取付け、吐出口１３から放出された害虫防除成分を含有した空気をノズル１８で集中的に吹きつけできるようにすることが好ましい。
【００１３】
このようにすれば、植物３に付着して害虫などに向けて前記空気を集中的に吹きつけできるから、害虫防除の効果がより優れたものとなる。
【００１４】
第２の発明は、装置本体１０に送風機１１と薬剤担持体１２を設け、その送風機１１を駆動することで薬剤担持体１２が担持した害虫防除成分を含有した空気を吐出口１３から気中に放出する送風式害虫防除装置１を用いて、植物を害虫防除する方法であって、
前記送風式害虫防除装置１に設けたノズル１８と空気受部材２で植物３の害虫防除部分３ａの周囲を囲み、その状態で送風式害虫防除装置１から放出された害虫防除成分を含有した空気を、ノズル１８で円弧状の流れとして前記害虫防除部分３ａに吹きつけ、その空気を空気受部材２の凹部２ａに沿って流れて前記ノズル１８に環流することで、前記植物３の害虫防除部分３ａの周囲に、前記空気を旋回流として滞留させることで害虫を防除することを特徴とする植物の害虫防除方法である。
【００１５】
この害虫防除方法に用いる害虫防除装置としては、送風式害虫防除装置１の装置本体１０に握持部１７を設け、その装置本体１０に、吐出口１３と連通したノズル１８を取付け、このノズル１８の先端部に空気受部材２を、ノズル１８に接近離隔するように回転自在に取付け、前記ノズル１８の外周側プレート１８ａを円弧形状とすると共に、空気受部材２の凹部２ａの底面を円弧形状としたものが好ましい。
【００１６】
この害虫防除装置を用いれば、１人の作業者が片手で握持部１７を持って作業できる。
また、空気受部材２をノズル１８と離隔した位置に回転した状態とすれば、ノズル１８と空気受部材２を植物３の害虫防除部分３ａの両側に位置させる作業が容易である。
そして、空気受部材２をノズル１８に接近した位置に回転させることで植物３の害虫防除部分３ａの周囲を囲むことができる。
【００１７】
第３の発明は、装置本体１０に送風機１１と薬剤担持体１２を設け、その送風機１１を駆動することで薬剤担持体１２が担持した害虫防除成分を含有した空気を吐出口１３から気中に放出する送風式害虫防除装置１を用いて、植物を害虫防除する方法であって、
前記装置本体１０にノズル１８を設け、このノズル１８内に害虫防除成分を含有した空気が旋回流となって滞留するようにし、
そのノズル１８の流出口１８ｅを植物３の害虫防除部分３ａに接近させることで、前記空気が害虫防除部分３ａに触れるようにして害虫を防除することを特徴とする植物の害虫防除方法である。
【００１８】
第４の発明は、装置本体１０に送風機１１と薬剤担持体１２を設け、その送風機１１を駆動することで薬剤担持体１２が担持した害虫防除成分を含有した空気を吐出口１３から気中に放出する送風式害虫防除装置１を用いて、植物を害虫防除する方法であって、
植物３の害虫防除部分３ａの全周を袋状物３０で囲み密閉された空間部を形成し、
この空間部に、前記送風式害虫防除装置１から害虫防除成分を含有した空気を吹き込むことで害虫を防除することを特徴とする植物の害虫防除方法である。
【００１９】
第５の発明は、装置本体１０に送風機１１と薬剤担持体１２を設け、その送風機１１を駆動することで薬剤担持体１２が担持した害虫防除成分を含有した空気を吐出口１３から気中に放出する送風式害虫防除装置１を用いて、植物を害虫防除する方法であって、
植物３の害虫防除部分３ａのほぼ全周を囲み空間部を形成し、
この空間部に、前記送風式害虫防除装置１から害虫防除成分を含有した空気を吹き込むことで害虫を防除することを特徴とする植物の害虫防除方法である。
【発明の効果】
【００２０】
第１・第２・第３・第４・第５の発明によれば、送風式害虫防除装置１から放出された害虫防除成分を含有した空気を、植物３の害虫防除部分３ａに長い時間接触することが可能である。
したがって、送風式害虫防除装置を用いて害虫防除効率が良く、十分な害虫防除効果が得られる。
【発明を実施するための最良の形態】
【００２１】
本発明の第１の実施の形態を説明する。
この実施の形態は、植物の害虫防除部分に吹きつけた害虫防除成分を含有した空気を、その害虫防除部分の近くで滞留させることで、植物の害虫防除部分の周辺を前述の空気で囲むようにした害虫防除方法である。
具体的には、図１に示すように、作業者が一方の手で送風式害虫防除装置１を持ち、他方の手で空気受部材２を持ち、その送風式害虫防除装置１と空気受部材２を植物３の害虫防除部分３ａの両側に対峙させる。つまり、送風式害虫防除装置１と空気受部材２で害虫防除装置としてある。
前記害虫防除部分３ａとは害虫４の成虫が付着している部分、害虫４の幼虫や卵が付着している部分などである。
【００２２】
前記送風式害虫防除装置１は、装置本体１０に送風機１１と、害虫防除成分を担持した薬剤担持体１２を設けたもので、その送風機１１を駆動することで薬剤担持体１２に空気が接触して害虫防除成分を含有した空気とし、その空気を気中に放出する。
前記空気受部材２は凹部２ａを有する。この凹部２ａは半球面状であるが、この凹部２ａは、その内部に空気が滞留する形状であれば良く、半球面状に限定されない。
【００２３】
前述の状態で送風式害虫防除装置１から害虫防除成分を含有する空気（以下単に空気という）を矢印ａで示すように前述の害虫防除部分３ａに向けて吹きつける。
前記空気は植物３の害虫防除部分３ａを通過して空気受部材２の凹部２ａ内に入り込み、その凹部２ａ内ではね返りして入り込む空気と衝突し、このことを繰り返しすることで空気は空気受部材２の凹部２ａ内で滞留する。
このことが所定の時間以上継続することで送風式害虫防除装置１から矢印ａのように吹きつけられた空気と空気受部材２の凹部２ａ内に滞留した空気が衝突することになり、植物３の害虫防除部分３ａの周辺が害虫防除成分を含有した空気によって囲まれる。
【００２４】
したがって、害虫防除成分を含む空気が害虫４に長い時間接触し続けるので、害虫防除効率が良く、十分な害虫防除効果が得られる。
【００２５】
また、送風式害虫防除装置１と空気受部材２が別部材で、それぞれを任意の向きとすることができるから、植物の形状、大きさ等に合わせて両者を対峙できる。
例えば、図２に示すように植物３が太い場合には、植物３の表面に沿って送風式害虫防除装置１と空気受部材２を対峙して配設することができる。
なお、送風式害虫防除装置１と空気受部材２を別々の作業者が持って作業しても良い。
【００２６】
次に、前記送風式害虫防除装置１の具体形状を説明する。
図３と図４に示すように、装置本体１０は送風機収容室１０ａと薬剤収容室１０ｂを有し、その送風機収容室１０ａが吐出口１３で外部に開口し、かつ連通口１４で薬剤収容室１０ｂに連通している。
前記薬剤収容室１０ｂを形成するカバー１５は着脱自在で、吸込口１６を有している。
前記送風機１１はモータ１１ａでファン１１ｂを回転するものである。
前記薬剤収容室１０ｂに薬剤担持体１２が収容される。
前記装置本体１０には握持部１７、例えば丸棒が取付けてある。
前記装置本体１０にはノズル１８が、吐出口１３と連通して設けてあり、前記吐出口１３から放出された空気はノズル１８に流入し、そのノズル１８で集中して害虫４に向けて吹きつけできるようにしてある。
前記装置本体１０には電池収容室１０ｃが形成され、その電池収容室１０ｃには電池１９が収容されている。この電池１９を電源として前記モータ１１ａが駆動される。
【００２７】
前記空気受部材２は握持部２ｂ、例えば丸棒を備え、その握り部２ｂを持って作業できるようにしてある。この把持部２ｂは丸棒に限ることはなく、例えば装置本体１０の電池収容室１０ｃを長めに伸ばした形状とし装置本体１０の一部を把持部とすることもできる。
【００２８】
前記ノズル１８は先細形状で害虫防除成分を含有した空気を集中して１ヶ所に吹きつける形状としたが、このノズル１８の形状は前述のものに限ることはなく、種々の形状とすることができる。また、ノズル１８を設けずに吐出口１３から空気を吹きつけることもできる。
【００２９】
前述の実施の形態では、送風式害虫防除装置１と空気受部材２を別体としたが、前記空気受部材２を送風式害虫防除装置１と一体としても良い。このようにすれば、１人の作業者が片手で作業することが可能である。
例えば、空気受部材２を送風式害虫防除装置１に、空気吹きつけ方向に移動可能で、かつ向きを変更できるように取付ける。
【００３０】
具体的には、図５と図６に示すように、装置本体１０に取付具２０の一端部を移動自在に取付ける。例えば、取付具２０の一端部２０ａに長孔２１を形成し、この長孔２１からボルト、例えば蝶付きのボルト２２を装置本体１０に螺合して取付ける。
前記取付具２０の他端部２０ｂをノズル１８よりも前方に突出させ、その他端部２０ｂに空気受部材２を首振り自在に取付ける。例えば空気受部材２に固着したボルト２３を取付具２０の他端部２０ｂに形成した孔（図示せず）に挿通し、そのボルト２３に蝶ナット２４を螺合する。
【００３１】
このようにすれば、取付具２０の一端部２０ａを蝶付のボルト２２に対して長孔２１に沿って移動することで、空気受部材２をノズル１８に接近する方向、離隔する方向に移動して両者の間隔を調整し、植物３の大きさに合う間隔とする。
また、蝶ナット２４を弛めることで空気受部材２をボルト２３の回りに回転してノズル１８に対する向きを変更できる。
したがって、大きさの異なる植物の害虫防除ができる。
また、取付具２０の取付け位置は、装置本体１０の側面の他に上面又は下面に取付けても良い。
【００３２】
次に、本発明の第２の実施の形態を説明する。
この実施の形態は、送風式害虫防除装置１から放出された害虫防除成分を含む空気を、植物３の害虫防除部分３ａの周囲に旋回流として滞留させるようにした害虫防除方法である。
具体的には、図７に示すように空気受部材２とノズル１８で植物３の害虫防除部分３ａの周囲を囲み、そのノズル１８を、外周側プレート１８ａと内周側プレート１８ｂと一対の端面プレート１８ｃを備え、その外周側プレート１８ａと内周側プレート１８ｂの間隔が流入口１８ｄから流出口１８ｅに向けて順次大きいテーパー形状とし、その流出口１８ｅの開口幅を植物３又は害虫防除部分３ａよりも大きくする。その外周側プレート１８ａが円弧形状に湾曲し、送風式害虫防除装置１から放出された害虫防除成分を含む空気を、その外周側プレート１８ａに沿って植物３の害虫防除部分３ａに向けて円弧状の流れとして吹きつけるようにする。
そして、空気受部材２からはね返りした空気がノズル１８の流出口１８ｅにおける内周側プレート１８ｂ寄り部分に流れ込むようにする。
この場合には、ノズル１８の流出口１８ｅの内周側プレート１８ｂ寄りに円弧形状の案内プレート１８ｆを設け、空気受部材２からはね返りした空気がスムーズに流入するようにすることが好ましい。
【００３３】
このようにすれば、ノズル１８に沿って空気が矢印ｂで示すように円弧状に流れ、空気受部材２の凹部２ａに当たってはね返りした空気が前述の矢印ｂで示す空気流れによって再び円弧状に流れることになるので、その空気は、ノズル１８と空気受部材２とで囲まれた空間内で旋回流として流れ続けて滞留する。
したがって、図７に示すように植物３の害虫防除部分３ａの両側にノズル１８と空気受部材２を対峙させて囲むことで、害虫の防除効率良く、十分な防除効果が得られる。
【００３４】
この場合に空気受部材２の凹部２ａは球面形状でも良いが、底面プレート２ｃが円弧形状で、一対の端面プレート２ｄが平板状であることが好ましい。つまり、底面を円弧形状とすることで、前述のように流入した空気が底面に沿って流れるので、旋回流として滞留し易い。
しかも、一対の端面プレート２ｄに切欠部２ｅを形成し、この切欠部２ｅによって植物３に接近して設けることができるようにすることが好ましい。
【００３５】
この場合には、前記空気受部材２をノズル１８に一体的に設けて、１人の作業者が片手で作業できるようにすることができる。
例えば、空気受部材２をノズル１８に回動自在に取付けることができる。
具体的には、図８に示すようにノズル１８の外周側プレート１８ａの先端部に空気受部材２をヒンジ２５で回転自在に取付ける。
そして、空気受部材２を図８の仮想線で示すようにノズル１８の流出口１８ｅから離れた位置に回転し、その状態で植物３の害虫防除部分３ａの両側に空気受部材２とノズル１８を配設する。
この後に、空気受部材２を図８の実線で示すようにノズル１８の流出口１８ｅに接近した位置として植物３の害虫防除部分３ａの周囲をノズル１８と空気受部材２で取り囲む。
【００３６】
次に、本発明の第３の実施の形態を説明する。
この実施の形態は、送風式害虫防除装置１から放出された害虫防除成分を含有する空気が、旋回流となって滞留するようにし、その旋回流となって滞留している領域を植物３の害虫防除部分３ａに位置させるようにした害虫防除方法である。
例えば、ノズル１８の形状を、害虫防除成分を含有する空気が旋回流となって滞留する形状とし、そのノズル１８の流出口１８ｅ近くを植物３の害虫防除部分３ａと対峙して配設することで、旋回流となって滞留している空気が害虫防除部分３ａに触れるようにする。
【００３７】
具体的には、図９に示すようにノズル１８を外周側プレート１８ａと内周側プレート１８ｂと一対の端面プレート１８ｃで幅狭い流入口１８ｄと幅広い流出口１８ｅを有する形状とし、その外周側プレート１８ａをほぼＣ字形状としてノズル１８を底面がほぼＣ字形状の空間１８−１を有する形状として送風式害虫防除装置１から放出された空気が外周側プレート１８ａに沿って流れることで空間１８−１内で旋回流となって滞留するようにする。
前記ノズル１８の流出口１８ｅの幅を大きくし、この流出口１８ｅを植物３の害虫防除部分３ａと対峙することで、前記空間１８−１内に旋回流となって滞留する害虫防除成分を含有する空気が、植物３の害虫防除部分３ａに触れるようにする。
また、一対の端面プレート１８ｃの流出口１８ｅ部分に切欠凹部１８ｇを形成し、前記空間１８−１を植物３の害虫防除部分３ａに近づけることができるようにしてある。
【００３８】
図９に示す装置では、装置本体１０とノズル１８の流出口１８ｅ部分との間の間隔が狭いので、外周側プレート１８ａ、内周側プレート１８ｂの装置本体１０寄り部分を直線状として前述の間隔を広くしても良い。
【００３９】
次に、本発明の害虫防除方法の第４の実施の形態を説明する。
この害虫防除方法は植物３の害虫防除部分３ａの全周を囲む密閉された空間部を形成し、この空間部に送風式害虫防除装置１から害虫防除成分を含有した空気を吹き込む方法である。
例えば、図１０に示すように植物３の害虫防除部分３ａを柔軟な袋状物３０で覆って密閉された空間部３１を形成する。
この袋状物３０の開口部３２にノズル１８を挿入して気密する。
この状態で送風式害虫防除装置１を駆動して害虫防除成分を含有する空気を空間部３１内に吹きつける。
【００４０】
前記袋状物３０としては、柔軟なシートで両端が開口した筒となったものが用いられる。
この筒の一方の開口から植物３の害虫防除部分３ａに挿入し、その開口縁を紐などで結んで気密する。
前記筒の他方の開口にノズル１８を挿入して紐などで結んで気密する。
【００４１】
この害虫防除方法の場合には、袋状物３０の空間部３１内に前述の空気が充満したら、ノズル１８を抜き出して袋状物３０の他方の開口を紐等で結んで空間部３１を再び密閉状態とすることもできる。
この状態で害虫防除成分を含有した空気を空間部３１に吹きつける。
前記袋状物３０は、ノズル１８の先端にその取付け部を設けて取付けるようにしても良い。
また、前記袋状物３０では、植物３の害虫防除部分３ａを覆って密閉された空間部３１を形成したが、植物３全体を覆って空間部３１を形成しても良い。例えば、生育途中の植物やポット物や鉢物などの小さい植物３を大きな袋状物３０を用いて、植物３全体を覆って害虫防除することもできる。この場合、この袋状物３０内は地面などで閉塞されるので紐などで結んで気密にしなくても良い。また、この袋状物３０は前述の筒状の他に、裾広がりのスカート形状、腰巻形状の袋形状、拡開自在の傘形状などでも良い。
【００４２】
次に、本発明の第５の実施の形態を説明する。
この実施の形態は、植物３の害虫防除部分３ａのぼぼ全周を囲む空間部を形成し、この空間部に送風式害虫防除装置１から害虫防除成分を含有した空気を吹き込んで害虫を防除する方法である。
例えば、図１１に示すようにノズル１８を、一側ノズル１８−２と他側ノズル１８−３を開閉自在としたものとし、その一側ノズル１８−２、他側ノズル１８−３を図１１に実線で示すように開放した状態で植物３の害虫防除部分３ａの周囲に位置させ、その一側ノズル１８−２と他側ノズル１８−３を図１１に仮想線で示すように閉じることでノズル１８によって植物３の害虫防除部分３ａを囲み、そのぼぼ全周を囲む空間部を形成する。
この状態で害虫防除成分を含有した空気を空間部に吹きつける。
【００４３】
前記一側ノズル１８−２と他側ノズル１８−３を装置本体１０に揺動自在に取付けて開閉自在としても良いし、一側ノズル１８−２を装置本体１０に固定し、この一側ノズル１８−２に他側ノズル１８−３を揺動自在に取付けて開閉自在としても良い。
なお、図１１に示す実施の形態では、一側ノズル１８−２、他側ノズル１８−３の先端縁に切欠部１８−４が形成され、この一対の切欠部１８−４に植物３の枝が挿通して葉の部分（害虫防除部分３ａ）を囲むようにしてある。
【００４４】
また、この防除方法を実施する防除装置としては、図７、図８に示すようにノズル１８と空気受部材２を用い、ノズル１８の流出口１８ｅと空気受部材２の凹部２ａの開口部の大きさを同一としたものでも良い。この場合にはノズル１８の外周側プレート１８ａの形状、空気受部材２の凹部２ａの形状はどのようであっても良い。
【００４５】
前述の各実施の形態におけるファン１１ｂはシロッコファンであるが、軸流ファン、プロペラファン等でも良い。
また、薬剤担持体１２をファン１１ｂの吸い込み側に設けたが吐き出し側に設けても良い。
【００４６】
本発明において使用される害虫防除成分としては、常温送風などの条件で揮散する殺虫剤、殺ダニ剤、忌避剤、害虫成長制御剤、又は防虫性の薬剤（精油、香料、溶剤等）などが挙げられる。
例えば殺虫を目的として使用する場合、従来より用いられている各種揮散性殺虫剤、特に安全性が高いことからピレスロイド系殺虫剤が好適に用いられる。
【図面の簡単な説明】
【００４７】
【図１】本発明の第１の実施の形態を示す正面説明図である。
【図２】植物が太い場合に平面図である。
【図３】送風式害虫防除装置の平面図である。
【図４】図３のＡ−Ａ断面図である。
【図５】害虫防除装置の正面図である。
【図６】害虫防除装置の平面図である。
【図７】本発明の第２の実施の形態を示す横断面説明図である。
【図８】害虫防除装置の横断面図である。
【図９】本発明の第３の実施の形態を示す横断面説明図である。
【図１０】本発明の第４の実施の形態を示す正面説明図である。
【図１１】本発明の第５の実施の形態を示す正面説明図である。
【符号の説明】
【００４８】
１…送風式害虫防除装置、２…空気受部材、２ａ…凹部、３…植物、３ａ…害虫防除部分、４…害虫、１０…装置本体、１１…送風機、１２…薬剤担持体、１３…吐出口、１７…握持部、１８…ノズル、１８ａ…外周側プレート、１８ｅ…流出口、２０…取付具、３０…袋状物、３１…空間部。
【図１】
2008079527.tif 000003
【図２】
2008079527.tif 000004
【図３】
2008079527.tif 000005
【図４】
2008079527.tif 000006
【図５】
2008079527.tif 000007
【図６】
2008079527.tif 000008
【図７】
2008079527.tif 000009
【図８】
2008079527.tif 000010
【図９】
2008079527.tif 000011
【図１０】
2008079527.tif 000012
【図１１】
2008079527.tif 000013